(57)【要約】【課題】  移動体通信端末に対してコンテンツデータが無断で提供されるのを有効に防止することである。【解決手段】  コンテンツサーバから送信された規制対象の音楽ファイルが中継装置に受信されると、中継装置は、そのＨＴＴＰヘッダ内のＣＰＩＤを参照する。このＣＰＩＤは、正規のコンテンツサーバに対して発行されたものである。このＣＰＩＤが中継装置に登録されていれば、その音楽ファイルを携帯電話機へ送信し、登録されていなければ破棄する。これにより、携帯電話機は、ＣＰＩＤが発行された正規のコンテンツサーバから提供される音楽ファイルしか、ダウンロードすることができないようになる。【選択図】  図１
2005101806.tif 000002
【特許請求の範囲】
【請求項１】
移動体通信端末によって利用可能なコンテンツデータを通信ネットワークを介して提供するコンテンツ提供用サーバと、
該コンテンツ提供用サーバから該移動体通信端末へ送られるコンテンツデータを、該通信ネットワーク上で中継する中継装置とを備えた移動体通信システムであって、
上記コンテンツ提供用サーバは、
移動体通信端末からのダウンロード要求に応じて該移動体通信端末へ送信するコンテンツデータに、送信元のコンテンツ提供用サーバを識別するための識別情報を付加する識別情報付加手段を有しており、
上記中継装置は、該コンテンツ提供用サーバから送られてくるコンテンツデータに付加された識別情報に基づいて、該コンテンツデータを通過させるか否かの判断を行う判断手段と、
該判断手段による判断結果に従って該コンテンツデータの通過を制御するデータ通過制御手段とを有していることを特徴とする移動体通信システム。
【請求項２】
移動体通信端末によって利用可能なコンテンツデータを提供するコンテンツ提供用サーバから通信ネットワークを介して該移動体通信端末へ送られるコンテンツデータを、該通信ネットワーク上で中継する中継装置において、
上記コンテンツ提供用サーバから上記移動体通信端末へ送信されるコンテンツデータに付加された送信元のコンテンツ提供用サーバを識別するための識別情報に基づいて、該コンテンツデータを通過させるか否かの判断を行う判断手段と、
該判断手段による判断結果に従って該コンテンツデータの通過を制御するデータ通過制御手段とを有することを特徴とする中継装置。
【請求項３】
請求項２の中継装置において、
上記通信ネットワークに接続されるＷｅｂサーバが提供する閲覧画面データを、上記移動体通信端末に適したものに変換するデータ変換手段を有することを特徴とする中継装置。
【請求項４】
請求項２又は３の中継装置において、
上記判断手段は、上記コンテンツデータに付加された複数種類の識別情報のそれぞれに基づいて上記判断を行い、
上記データ通過制御手段は、該識別情報の全ての種類について該判断手段が通過させる旨の判断結果を出した場合にのみ、該コンテンツデータを通過させるように制御することを特徴とする中継装置。
【請求項５】
請求項２、３又は４の中継装置において、
当該中継装置を通過するデータに付加されたデータ種別情報に基づき、該データが上記コンテンツデータであるか否かを判別する判別手段を有し、
上記判断手段は、該判別手段によりコンテンツデータであると判別されたときにのみ上記判断を行うことを特徴とする中継装置。
【請求項６】
移動体通信端末によって利用可能なコンテンツデータを通信ネットワークを介して提供するコンテンツ提供用サーバにおいて、
移動体通信端末からのダウンロード要求に応じて該移動体通信端末へ送信するコンテンツデータに、送信元のコンテンツ提供用サーバを識別するための識別情報であって、上記通信ネットワーク上で該コンテンツデータを中継する中継装置により該コンテンツデータの通過の可否判断に用いられるものを付加する識別情報付加手段を有することを特徴とするコンテンツ提供用サーバ。
【請求項７】
通信ネットワークを介してコンテンツデータを取得するデータ取得手段を有し、該データ取得手段により取得したコンテンツデータを利用可能な移動体通信端末において、
上記データ取得手段により取得したコンテンツデータが、暗号化通信により取得されたものである場合、該コンテンツデータの利用を禁止する利用禁止手段を有することを特徴とする移動体通信端末。
【請求項８】
通信ネットワークを介してコンテンツデータを取得するデータ取得手段を有し、該データ取得手段により取得したコンテンツデータを利用可能な移動体通信端末において、
上記データ取得手段により取得したコンテンツデータに付加されたデータ種別情報により特定されるデータ種別が該コンテンツデータの種別と一致しない場合、該コンテンツデータの利用を禁止する利用禁止手段を有することを特徴とする移動体通信端末。
【発明の詳細な説明】
【技術分野】
【０００１】
本発明は、移動体通信端末へ通信ネットワークを介してコンテンツデータを提供するための移動体通信システム、その通信ネットワーク上でコンテンツデータを中継する中継装置、コンテンツデータを提供するコンテンツ提供用サーバ、そのコンテンツデータを利用可能な移動体通信端末に関するものである。
【背景技術】
【０００２】
従来から、画像データ、音楽データ、ゲームなどのプログラムデータ等のコンテンツデータをダウンロードして利用することができる携帯電話機が知られている（例えば、特許文献１参照）。コンテンツデータは、インターネット上の情報提供サイトや、携帯電話通信事業者等が管理運営する情報提供システム等から、携帯電話機等の移動体通信端末へダウンロードされ、利用される。このようなコンテンツデータは、通信ネットワークを介して移動体通信端末とデータ通信可能に接続されるコンテンツ提供用サーバによって提供される。
【０００３】
【特許文献１】特開２００１−３６６３７号公報
【発明の開示】
【発明が解決しようとする課題】
【０００４】
コンテンツ提供用サーバから提供されるコンテンツデータの中には、著作権で保護されるものがあり、このようなコンテンツデータは、無断で提供することが禁じられている。特に、近年では、著作権の保護強化の要請が強く、著作権に係るコンテンツデータが無断で提供されるのを阻止することが、強く望まれている。ところが、現状では、コンテンツデータに係る著作権の保護が十分であるとはいえない。これは、次の理由によるものと考えられる。すなわち、コンテンツデータを提供するコンテンツ提供用サーバは、多少の知識があれば、誰でも簡単に運営することが可能である。そのため、著作権に係るコンテンツデータがコンテンツ提供用サーバに無断でアップロードされ、提供される場合が少なくない。そして、このようなコンテンツ提供用サーバからの提供が、コンテンツデータに係る著作権の保護に関して最も深刻なものとなっている。しかし、この提供を防止する有効な仕組みは、未だ存在していない。
したがって、このようなコンテンツデータが無断で提供されるのを有効に防止することが、コンテンツデータに係る著作権保護を十分に図る上で重要である。
【０００５】
本発明は、以上の背景に鑑みなされたものであり、その目的とするところは、コンテンツデータが無断で提供されるのを有効に防止することが可能な移動体通信システム、中継装置、コンテンツ提供用サーバ及び移動体通信端末を提供することである。
【課題を解決するための手段】
【０００６】
上記目的を達成するために、請求項１の発明は、移動体通信端末によって利用可能なコンテンツデータを通信ネットワークを介して提供するコンテンツ提供用サーバと、該コンテンツ提供用サーバから該移動体通信端末へ送られるコンテンツデータを、該通信ネットワーク上で中継する中継装置とを備えた移動体通信システムであって、上記コンテンツ提供用サーバは、移動体通信端末からのダウンロード要求に応じて該移動体通信端末へ送信するコンテンツデータに、送信元のコンテンツ提供用サーバを識別するための識別情報を付加する識別情報付加手段を有しており、上記中継装置は、該コンテンツ提供用サーバから送られてくるコンテンツデータに付加された識別情報に基づいて、該コンテンツデータを通過させるか否かの判断を行う判断手段と、該判断手段による判断結果に従って該コンテンツデータの通過を制御するデータ通過制御手段とを有していることを特徴とするものである。
この移動体通信システムにおいて、コンテンツ提供用サーバから提供されるコンテンツデータは、移動体通信端末に到達する前に中継装置を通過する。このとき、中継装置では、そのコンテンツデータに付加されている識別情報に基づいてこれを通過させるか否かの判断が行われ、その判断結果に従ってそのコンテンツデータの通過が制御される。よって、著作権に係るコンテンツデータを提供する正当な権限を持った正規のコンテンツ提供用サーバの識別情報が付加されたコンテンツデータのみを通過させるといった通過制御を行うことが可能となる。
なお、コンテンツデータに付加される識別情報は、コンテンツデータ自体に付加されるものだけでなく、コンテンツデータを送信する際のヘッダ情報等に付加されるものも含む。
【０００７】
また、請求項２の発明は、移動体通信端末によって利用可能なコンテンツデータを提供するコンテンツ提供用サーバから通信ネットワークを介して該移動体通信端末へ送られるコンテンツデータを、該通信ネットワーク上で中継する中継装置において、上記コンテンツ提供用サーバから上記移動体通信端末へ送信されるコンテンツデータに付加された送信元のコンテンツ提供用サーバを識別するための識別情報に基づいて、該コンテンツデータを通過させるか否かの判断を行う判断手段と、該判断手段による判断結果に従って該コンテンツデータの通過を制御するデータ通過制御手段とを有することを特徴とするものである。
この中継装置は、請求項１の移動体通信システムにおける中継装置として利用されることで、上述したように、正規のコンテンツ提供用サーバから提供されるコンテンツデータのみを移動体通信端末に提供することが可能となる。
【０００８】
また、請求項３の発明は、請求項２の中継装置において、上記通信ネットワークに接続されるＷｅｂサーバが提供する閲覧画面データを、上記移動体通信端末に適したものに変換するデータ変換手段を有することを特徴とするものである。
この中継装置においては、移動体通信端末で閲覧しようとした閲覧画面の閲覧画面データが移動体通信端末以外のパーソナルコンピュータ等による閲覧を前提として作成されたものである場合、その閲覧画面データが移動体通信端末に適したものに変換される。このような中継装置は、ＷｅｂＴｒａｎｓなどと呼ばれる機器として利用することができ、移動体通信端末用の通信ネットワークとインターネット等の他の通信ネットワークとの間に設置される。より厳密に言えば、これらの間を接続するゲートウェイ機器の上記他の通信ネットワーク側に設置される。よって、本中継装置によれば、正規のコンテンツ提供用サーバから送信されたものではないコンテンツデータを、移動体通信端末用の通信ネットワークに入る前のなるべく早い段階で、その通過を阻止することが可能となる。
【０００９】
また、請求項４の発明は、請求項２又は３の中継装置において、上記判断手段は、上記コンテンツデータに付加された複数種類の識別情報のそれぞれに基づいて上記判断を行い、上記データ通過制御手段は、該識別情報の全ての種類について該判断手段が通過させる旨の判断結果を出した場合にのみ、該コンテンツデータを通過させるように制御することを特徴とするものである。
コンテンツデータに付加される識別情報は、改ざんされる可能性がある。例えば、無断で提供されるコンテンツデータについて、正規のコンテンツ提供用サーバを示す識別情報を付加するような改ざんが行われる可能性がある。このような改ざんが行われると、その無断で提供されるコンテンツデータを、本中継装置でその通過を阻止できず、通過してしまう。そこで、本中継装置においては、コンテンツデータに付加されている複数種類の識別情報のそれぞれに基づき、そのコンテンツデータを通過させるか阻止するかを判断し、全ての判断で通過させる旨の判断結果が出たときのみ、そのコンテンツデータを通過させる。これにより、無断で提供されるコンテンツデータについて一部の識別情報が改ざんされたとしても、そのコンテンツデータの通過を阻止することができる。
【００１０】
また、請求項５の発明は、請求項２、３又は４の中継装置において、当該中継装置を通過するデータに付加されたデータ種別情報に基づき、該データが上記コンテンツデータであるか否かを判別する判別手段を有し、上記判断手段は、該判別手段によりコンテンツデータであると判別されたときにのみ上記判断を行うことを特徴とするものである。
この中継装置が配置される通信ネットワークには、コンテンツデータ以外のデータも流れることがある。このようなコンテンツデータ以外のデータについては、上記判断を行う必要がない。そのため、中継装置を通過するすべてのデータについて上記判断を行うとすると、中継装置の処理速度を無駄に低下させることとなる。そこで、本中継装置においては、通過するデータに付加されているデータ種別情報に基づき、そのデータがコンテンツデータである場合にだけ上記判断を行う。これにより、上記判断が不要なデータについてまで無駄に判断を行うことがなくなる。
【００１１】
また、請求項６の発明は、移動体通信端末によって利用可能なコンテンツデータを通信ネットワークを介して提供するコンテンツ提供用サーバにおいて、移動体通信端末からのダウンロード要求に応じて該移動体通信端末へ送信するコンテンツデータに、送信元のコンテンツ提供用サーバを識別するための識別情報であって、上記通信ネットワーク上で該コンテンツデータを中継する中継装置により該コンテンツデータの通過の可否判断に用いられるものを付加する識別情報付加手段を有することを特徴とするものである。
このコンテンツ提供用サーバは、請求項１の移動体通信システムにおけるコンテンツ提供用サーバとして利用されることで、上述したように、正規のコンテンツ提供用サーバから提供されるコンテンツデータのみを移動体通信端末に提供することが可能となる。
【００１２】
また、請求項７の発明は、通信ネットワークを介してコンテンツデータを取得するデータ取得手段を有し、該データ取得手段により取得したコンテンツデータを利用可能な移動体通信端末において、上記データ取得手段により取得したコンテンツデータが、暗号化通信により取得されたものである場合、該コンテンツデータの利用を禁止する利用禁止手段を有することを特徴とするものである。
請求項１の通信システムによって提供されるコンテンツデータは、これに付加された識別情報に基づき、上記中継装置によってその通過が制御される。しかし、そのコンテンツデータが暗号化通信によって提供されると、識別情報も暗号化されていて、上記中継装置で通過制御を行うことができない場合がある。この場合、そのコンテンツデータは、無断で提供されたものであっても、上記中継装置を通過してしまい、移動体通信端末の利用者に利用されるおそれがある。そこで、本請求項７の移動体通信端末では、このような暗号化通信によって提供されるコンテンツデータを取得した場合、その利用を禁止することとしている。これにより、無断で提供されるコンテンツデータが、中継装置で通過制御できないような暗号化通信により提供されるものであっても、そのコンテンツデータが移動体通信端末の利用者に利用されるのを防止することができる。
【００１３】
また、請求項８の発明は、通信ネットワークを介してコンテンツデータを取得するデータ取得手段を有し、該データ取得手段により取得したコンテンツデータを利用可能な移動体通信端末において、上記データ取得手段により取得したコンテンツデータに付加されたデータ種別情報により特定されるデータ種別が該コンテンツデータの種別と一致しない場合、該コンテンツデータの利用を禁止する利用禁止手段を有することを特徴とするものである。
請求項５の中継装置では、上述したように、通過するデータの種別をデータ種別情報に基づいて判別し、そのデータがコンテンツデータであると判別されたときに初めて、その通過を制御する。そのため、無断で提供されるコンテンツデータに付加されるデータ種別情報が改ざんされ、コンテンツデータではない旨のデータ種別情報に書き換えられると、そのコンテンツは、上記中継装置によって通過制御されることなく、そのまま通過してしまい、移動体通信端末の利用者に利用されるおそれがある。そこで、本請求項８の移動体通信端末では、取得したコンテンツデータに付加されたデータ種別情報により特定されるデータ種別がそのコンテンツデータの種別と一致しない場合、この利用を禁止することとしている。これにより、上記のような改ざんがなされたコンテンツデータを取得した場合でも、そのコンテンツデータが移動体通信端末の利用者に利用されるのを防止することができる。
【００１４】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＰＨＳ（Personal Handyphone Service）、自動車電話機等の電話機のうち、通信ネットワークを介してダウンロードしたコンテンツデータを利用可能なものが挙げられる。また、この「移動体通信端末」としては、上記電話機のほか、電話機能を有しないＰＤＡ（Personal Digital Assistance）等の移動型の移動体通信端末も挙げられる。
【発明の効果】
【００１５】
以上、請求項１乃至８の発明によれば、正規のコンテンツ提供用サーバから提供されるコンテンツデータのみを移動体通信端末の利用者に提供することが可能となるので、コンテンツデータが無断で提供されるのを有効に防止することが可能となるという優れた効果がある。
特に、請求項３の発明によれば、移動体通信端末用の通信ネットワーク内において、無断で提供されるコンテンツデータによるトラフィックを軽減することが可能となるという優れた効果がある。
また、請求項４の発明によれば、単一の識別情報に基づいて判断する場合に比べて、より確実に、正規のコンテンツ提供用サーバから提供されるコンテンツデータのみを移動体通信端末の利用者に提供することが可能となるという優れた効果がある。
また、請求項５の発明によれば、無駄な判断を行うことによる処理速度の低下を抑制することができるという優れた効果がある。
また、請求項７及び８の発明によれば、無断で提供されるコンテンツデータが中継装置で通過制御されずに移動体通信端末に取得されても、これが利用者に利用されるのを防止することができるという優れた効果がある。
【発明を実施するための最良の形態】
【００１６】
以下、本発明の一実施形態を図面を参照しながら説明する。
図２は、本実施形態に係る移動体通信システムの全体構成を説明するための説明図である。
この移動体通信システムにおいて、ユーザー１が使用する移動体通信端末としての携帯電話機２０は、コンテンツデータであるＭＰ３（MPEG Audio Layer 3）形式の音楽ファイルを再生可能な構成を有している。この携帯電話機２０は、通信ネットワークとしての携帯電話通信網１０に接続可能である。また、この携帯電話通信網１０とインターネット通信網１２との間には、ゲートウェイの機能をもつ中継装置３０が設置されている。この中継装置３０によって、携帯電話機２０は、インターネット通信網１２に接続されたコンテンツ提供用サーバとしてのコンテンツサーバ１１との間で、データ通信を行うことが可能となっている。このコンテンツサーバ１１は、携帯電話機２０からのダウンロード要求であるリクエストを受け付けると、そのリクエストに係る音楽ファイルを携帯電話機２０に対して送信する。なお、本実施形態においては、通信プロトコルとしてＨＴＴＰ（HyperText Transfer Protocol）を用い、コンテンツサーバ１１が携帯電話機２０の着信メロディ用の音楽ファイルを提供する場合を例に挙げて、以下説明する。
【００１７】
図３は、上記コンテンツサーバ１１のハードウェア構成を示す概略構成図である。
このコンテンツサーバ１１は、システムバス１００、ＣＰＵ１０１、内部記憶装置、外部記憶装置１０４、入力装置１０５及び出力装置１０６を備えている。上記内部記憶装置は、ＲＡＭ１０２やＲＯＭ１０３等で構成されている。上記外部記憶装置は、ハードディスクドライブ（ＨＤＤ）や光ディスクドライブ等で構成されている。上記入力装置１０５は、外部記憶装置１０４、マウスやキーボード等で構成されている。上記出力装置１０６は、ディスプレイやプリンタ等で構成されている。更に、このコンテンツサーバ１１は、インターネット通信網１２を介して、データの送受信を行う通信装置１０７も備えている。
上記ＣＰＵ１０１やＲＡＭ１０２等の構成要素は、システムバス１００を介して、互いにデータやプログラムの命令等のやり取りを行う。このコンテンツサーバ１１を所定の手順に従って動作させるためのプログラムは、ＲＯＭ１０３や外部記憶装置１０４に記憶されており、必要に応じてＣＰＵ１０１やＲＡＭ１０２上の作業エリアに呼び出されて実行される。また、このコンテンツサーバ１１には、携帯電話機２０に提供する着信メロディ用の音楽ファイルが外部記憶装置１０４に記憶されている。コンテンツサーバ１１は、携帯電話機２０からのリクエストに応じ、ＣＰＵ１０１、ＲＡＭ１０２、通信装置１０７等が協働して、外部記憶装置１０４に記憶されている音楽ファイルを、インターネット通信網１２を介して携帯電話機２０に送信する機能を有している。
【００１８】
本実施形態では、コンテンツサーバ１１のＣＰＵ１０１は、識別情報付加手段として機能し、音楽ファイルを送信する際に、そのＨＴＴＰヘッダ中に識別情報である自己のＣＰＩＤを記述する。このＣＰＩＤは、本実施形態で規制の対象としているＭＰ３形式の着信メロディ用の音楽ファイルを提供するコンテンツサーバ１１ごとに、それぞれ異なるものである。このＣＰＩＤは、例えば、中継装置３０を管理運営する携帯電話事業者から、各コンテンツサーバ１１を管理運営するコンテンツ事業者に発行される。本実施形態では、後述するように、このＣＰＩＤが発行されたコンテンツサーバ１１からの音楽ファイルでないと、携帯電話機２０でダウンロードすることができない。よって、中継装置３０を管理運営する携帯電話事業者が、ＣＰＩＤを正規なコンテンツ事業者に対して適正に発行すれば、音楽ファイルに係る著作権を有効に保護することが可能となる。
【００１９】
図４は、上記携帯電話機２０の外観を示す正面図であり、図５は、その携帯電話機２０のハードウェア構成を示す概略構成図である。
この携帯電話機２０は、クラムシェル（折り畳み）タイプの携帯電話機であり、システムバス２００、ＣＰＵ２０１、ＲＡＭ２０２やＲＯＭ２０３等からなる内部制御装置、操作手段としての入力装置２０４、出力装置２０５、携帯電話用通信装置２０６を備えている。ＣＰＵ２０１やＲＡＭ２０２等の構成要素は、システムバス２００を介して、互いに各種データや後述のプログラムの命令等のやり取りを行っている。上記ＣＰＵ２０１は、ＲＡＭ２０２、ＲＯＭ２０３、出力装置２０５、携帯電話用通信装置２０６を制御する。ＣＰＵ２０１は、ＲＯＭ２０３に記憶されている閲覧プログラム（ブラウザ）を実行することで、上記コンテンツサーバ１１のＷｅｂサイトを閲覧し、入力装置２０４を用いた所定の入力作業を行うことを可能にする。また、ＣＰＵ２０１は、ＲＯＭ２０３に記憶されているファイルダウンロードプログラムを実行することで、上記コンテンツサーバ１１から着信メロディ用の音楽ファイルをダウンロードして、これをＲＡＭ２０２に保存することができる。上記入力装置２０４は、データ入力キー（テンキー、＊キー、＃キー）２１、通話開始キー２２、終話キー２３、スクロールキー２４、多機能キー２５、マイク２６等から構成されている。この入力装置２０４を操作することにより、ユーザーは、携帯電話機２０に対してＵＲＬ等のデータを入力してＷｅｂサイトを閲覧したり、ダウンロードする音楽ファイルを選択したり、電話着信の際に通話の開始及び終了を行ったりすることができる。上記出力装置２０５は、液晶ディスプレイ（ＬＣＤ）２７、スピーカ２８等から構成されている。上記携帯電話用通信装置２０６は、データ取得手段として機能するものであり、携帯電話通信網１０を介して他の携帯電話機や上記コンテンツサーバ１１と通信するためのものである。具体的には、携帯電話機通信網１０を介して他の携帯電話機とメールのやり取りを行ったり、携帯電話機通信網１０及びインターネット通信網１２を介して上記コンテンツサーバ１１から音楽ファイルをダウンロードしたりするためのものである。
【００２０】
図６は、上記中継装置３０のハードウェア構成を示す概略構成図である。
この中継装置３０のハードウェア構成は、上記コンテンツサーバ１１と同様、システムバス３００、ＣＰＵ３０１、内部記憶装置、外部記憶装置３０４、入力装置３０５及び出力装置３０６から構成されている。更に、この中継装置３０は、インターネット通信網１２を介してデータの送受信を行う第１通信装置３０７と、携帯電話通信網１０を介してデータの送受信を行う第２通信装置３０８も備えている。
上記ＣＰＵ３０１やＲＡＭ３０２等の構成要素は、システムバス３００を介して、互いにデータやプログラムの命令等のやり取りを行い、その基本的な動作は上記コンテンツサーバ１１とほぼ同様である。本実施形態における中継装置３０は、携帯電話通信網１０とインターネット通信網１２とを接続するゲートウェイとしての機能を有しており、一方から他方へデータを通過させる際にＣＰＵ３０１等によりプロトコル変換を行う。
【００２１】
また、中継装置３０は、インターネット通信網１２に接続されたコンテンツサーバ１１やその他のＷｅｂサーバ等が提供する閲覧画面データを、携帯電話機２０に適したものに変換するＷｅｂＴｒａｎｓ機能を有している。この点について説明すると、インターネット通信網１２に接続されたＷｅｂサーバ等が提供するＷｅｂサイトの閲覧画面は、携帯電話機２０だけでなく、パーソナルコンピュータ等でも閲覧することができる。インターネット通信網１２上のＷｅｂサイトの閲覧画面は、パーソナルコンピュータ等に適した画面構成（画面寸法、静止画や動画の埋め込み等）になっているのが通常である。そのため、このような閲覧画面を携帯電話機２０のＬＣＤ２７に表示させようとすると、ユーザー１にとって閲覧しにくかったり、閲覧できなかったりすることがある。そこで、中継装置３０では、所定のデータ変換プログラムを実行するＣＰＵ３０１がデータ変換手段として機能する。そして、ＣＰＵ３０１は、インターネット通信網１２を介して第１通信装置３０７により受信した閲覧画面データを、そのデータ変換プログラムに従って変換し、携帯電話機２０に適したものとする。その後、変換後のデータを第２通信装置３０８から携帯電話通信網１０を介して携帯電話機２０へ送信する。
【００２２】
なお、上記コンテンツサーバ１１や上記中継装置３０は、専用の制御装置として構成してもいいし、汎用のコンピュータシステムを用いて構成してもよい。また、１台のコンピュータで構成してもいいし、複数の機能をそれぞれ受け持つ複数台のコンピュータをネットワークで結んで構成してもよい。
【００２３】
次に、着信メロディ用の音楽ファイルを、コンテンツサーバ１１から携帯電話機２０へダウンロードする流れについて説明する。
図７及び図８は、着信メロディ用の音楽ファイルをダウンロードするときのシーケンスフロー図である。
携帯電話機２０で着信メロディ用の音楽ファイルをダウンロードする場合、まず、ユーザーは、入力装置２０４に対して所定の操作を行い、ブラウザを起動して音楽ファイルの提供を行う提供サイトのＵＲＬを入力する。そうすると、ブラウザを実行するＣＰＵ２０１は、そのＵＲＬによって特定されるコンテンツサーバ１１に対してリクエストを送信する。このリクエストは、携帯電話通信網１０を介して中継装置３０に受信される。中継装置３０では、そのリクエストをそのままインターネット通信網１２に向けて送信する。そして、そのリクエストは、インターネット通信網１２を介してコンテンツサーバ１１に受信される。このリクエストを受けたコンテンツサーバ１１は、そのリクエストに係る提供サイトの閲覧画面データ（リスト画面データ）を、リクエストの送信元である携帯電話機２０に向けて送信する。このレスポンスは、インターネット通信網１２を介して中継装置３０に受信され、中継装置３０から、携帯電話通信網１０を通って携帯電話機２０に受信される。このレスポンスを受信した携帯電話機２０は、ブラウザを実行するＣＰＵ２０１の制御の下、そのリスト画面データに基づいてＬＣＤ２７上にリスト画面を表示する。
【００２４】
上記リスト画面には、ユーザー１がダウンロードすることが可能な１又は２以上の音楽ファイルの名前が表示されている。ユーザー１は、このリスト画面を閲覧し、入力装置２０４を操作して、自分が取得したい音楽ファイルの名前を選択する。この選択を行ったら、その選択内容を示す情報がリクエストとともにコンテンツサーバ１１へ送信される。このリクエストを受けたコンテンツサーバ１１は、そのリクエストに係る音楽ファイルを、レスポンスとして、携帯電話機２０に向けて送信する。このレスポンスは、中継装置３０を通過することになる。このとき、中継装置３０において行われる後述する処理によって、図７に示すようにそのまま通過して携帯電話機２０に受信されるか、あるいは、図８に示すように通過が阻止されて破棄される。なお、図７に示すように携帯電話機２０に受信された場合、その音楽データはＲＡＭ２０２に保存され、その携帯電話機２０で再生することが可能となる。
【００２５】
次に、本発明の特徴部分である、着信メロディ用の音楽ファイルを無断で提供するコンテンツサーバから携帯電話機２０へダウンロードが行われないようにする仕組みについて具体的に説明する。
図１は、上記中継装置３０の動作の流れを示すフローチャートである。
中継装置３０は、インターネット通信網１２からのデータを第１通信装置３０７で受信すると（Ｓ１）、そのＨＴＴＰヘッダに記述されている項目の中の「Content-Type」を参照する。この「Content-Type」の内容は、そのデータがどのような種類（ファイルタイプ等）のデータであるかを示すものである。そして、この「Content-Type」を参照して、そのデータがＭＰ３形式の音楽ファイルであるか否かを判断する（Ｓ２）。この判断において、ＭＰ３形式の音楽ファイルでないと判断された場合、第１通信装置３０７で受信したデータは、そのまま第２通信装置３０８から携帯電話機２０へ送信される（Ｓ６）。
【００２６】
一方、上記判断において、ＭＰ３形式の音楽ファイルであると判断された場合、中継装置３０のＣＰＵ３０１は、判断手段として機能する。そして、第１通信装置３０７で受信したデータのＨＴＴＰヘッダに記述されているＣＰＩＤを参照する。このＣＰＩＤは、その音楽ファイルの送信元のサーバを識別するためのものであり、上述したように、本中継装置３０を管理運営する携帯電話事業者により、各コンテンツサーバ１１を管理運営するコンテンツ事業者に対して発行されたものである。発行されたＣＰＩＤのＩＤリストは、記憶手段としての外部記憶装置３０４に記憶されている。よって、ＣＰＵ３０１は、上記音楽ファイルが、ＣＰＩＤが発行されたコンテンツ事業者のコンテンツサーバ１１から適切に提供されたものであるかどうかを判断すべく、そのＨＴＴＰヘッダ内のＣＰＩＤが外部記憶装置３０４のＩＤリスト内に存在するか否かを判断する（Ｓ３）。この判断において、ＨＴＴＰヘッダ内にＣＰＩＤが記述されていなかったり、記述されていたＣＰＩＤがＩＤリスト内に存在しなかったりした場合、ＣＰＵ３０１は、データ通過制御手段として機能し、その音楽ファイルを破棄する（Ｓ４）。そして、エラーメッセージを第２通信装置３０８から携帯電話機２０へ送信する（Ｓ５）。一方、ＨＴＴＰヘッダ内のＣＰＩＤがＩＤリスト内に存在する場合、ＣＰＵ３０１は、第１通信装置３０７で受信した音楽ファイルを、そのまま第２通信装置３０８から携帯電話機２０へ送信する（Ｓ６）。
【００２７】
以上のように、本実施形態によれば、規制対象のＭＰ３形式の着信メロディ用の音楽ファイルについて、携帯電話事業者からＣＰＩＤが適正に発行された正規のコンテンツ事業者が管理運営するコンテンツサーバ１１から提供される音楽ファイルでないと、これを携帯電話機２０にダウンロードすることができない。よって、ＣＰＩＤが適正に発行されていない不正なコンテンツサーバによって無断で提供される音楽ファイルが携帯電話機２０にダウンロードされるのを阻止することができる。したがって、音楽ファイルに係る著作権を有効に保護することができる。
【００２８】
また、本実施形態では、音楽ファイルに係る著作権を更に有効に保護すべく、携帯電話機２０は、次の場合には、ダウンロードした音楽ファイルを再生できないように構成されている。
第１に、音楽ファイルをダウンロードするための通信がＳＳＬ（Secure Socket Layer）等による暗号化通信である場合である。この場合、ＨＴＴＰヘッダが暗号化されており、中継装置３０において、これに記述されたＣＰＩＤを参照することができない。そのため、上記Ｓ２の処理において音楽ファイルでないと判断され、その音楽ファイルは携帯電話機２０へダウンロードされてしまう。よって、不正なコンテンツサーバがＳＳＬ等の暗号化通信により音楽ファイルを提供する場合には、本実施形態においては、これを阻止できない。よって、このような暗号化通信を用いてダウンロードされた音楽ファイルについては、携帯電話機２０で再生できないようにしている。
第２に、ＨＴＴＰヘッダに記述されている「Content-Type」の内容が、その音楽ファイルの内容と一致しない場合である。この場合、音楽ファイルの内容は、本実施形態において規制対象となっているＭＰ３形式の音楽ファイルであっても、そのＨＴＴＰヘッダに記述されている「Content-Type」の内容が、他の形式の音楽ファイル又は全く別のファイルを示すものに不正に改変されていると、上記Ｓ２の処理において規制対象の音楽ファイルでないと判断され、その音楽ファイルは携帯電話機２０へダウンロードされてしまう。よって、不正なコンテンツサーバが「Content-Type」の内容を不正に改変して規制対象の音楽ファイルを提供する場合には、本実施形態においては、これを阻止できない。よって、このようにして提供された音楽ファイルについては、携帯電話機２０において「Content-Type」の内容と音楽ファイルの内容とが一致しているかを判断し、一致していない場合には、その音楽ファイルを再生できないようにしている。
【００２９】
図９は、携帯電話機２０において、ダウンロードした音楽ファイルに対する処理の流れを示すフローチャートである。
携帯電話機２０は、コンテンツデータを取得したら（Ｓ１１）、そのＨＴＴＰヘッダに記述されている「Content-Type」を参照して、そのデータがＭＰ３形式の音楽ファイルであるか否かを判断する（Ｓ１２）。この判断において、ＭＰ３形式の音楽ファイルであると判断された場合、その取得時のデータ通信が暗号化通信であるか否かをＣＰＵ２０１によって判断する（Ｓ１３）。この判断において、暗号化通信であると判断された場合、ＣＰＵ２０１は、利用禁止手段として機能し、ＲＡＭ２０２に記憶される再生不可リストに、そのコンテンツデータを登録する（Ｓ１４）。この再生不可リストに登録されたコンテンツデータは、その再生指示があっても再生されない。これに対し、この判断において、暗号化通信でないと判断された場合、そのまま処理を終了し、そのコンテンツデータは、再生指示に応じて再生することができる。
一方、上記Ｓ１２の判断において、ＭＰ３形式の音楽ファイルでないと判断された場合、そのコンテンツデータの再生指示があったときに（Ｓ１５）、そのコンテンツデータの実際のファイル形式がＭＰ３形式であるか否かを判断する（Ｓ１６）。この判断においてＭＰ３形式であると判断された場合、ＣＰＵ２０１は、利用禁止手段として機能し、上記再生不可リストに、そのコンテンツデータを登録する（Ｓ１４）。一方、この判断において、ＭＰ３形式でないと判断された場合、そのまま処理を終了し、そのコンテンツデータは、そののデータ形式に応じて再生される。
【００３０】
〔変形例〕
次に、上記実施形態における中継装置３０の変形例について説明する。
上記実施形態において、中継装置３０のＩＤリストに登録されているＣＰＩＤが不正なコンテンツ事業者に漏れる場合がある。この場合、その事業者が管理運営する不正なコンテンツサーバから、そのＣＰＩＤを使って無断で音楽データが提供される危険性がある。このような提供が行われると、上記中継装置３０では、その音楽ファイルは正規のコンテンツサーバから提供されたものと判断され、携帯電話機２０へダウンロードされてしまう。本変形例では、この危険性を少なくすべく、判断対象となる識別情報を２つ用意し、これら２つの識別情報の全てについて判断を行うこととしている。
【００３１】
図１０は、本変形例における中継装置３０の動作の流れを示すフローチャートである。
本変形例では、上記Ｓ３の判断において、ＭＰ３形式の音楽ファイルであると判断された場合であっても、すぐに、その音楽ファイルを第２通信装置３０８から携帯電話機２０へ送信しない。具体的には、中継装置３０のＣＰＵ３０１は、更に、第１通信装置３０７で受信したデータのＨＴＴＰヘッダに記述されている識別情報としてのＦＱＤＮ（Fully Qualified Domain Name）を参照する。このＦＱＤＮは、その音楽ファイルの送信元のサーバのフルドメイン名であり、各コンテンツサーバ１１に固有のものであるものである。そして、本変形例では、外部記憶装置３０４に記憶されたＩＤリストは、発行した各ＣＰＩＤと、それぞれの発行先のコンテンツ事業者が管理運営するコンテンツサーバのＦＱＤＮとが関連付けられた状態となっている。よって、ＣＰＵ３０１は、ＣＰＩＤがＩＤリスト内に存在している場合（Ｓ３）、ＩＤリスト内においてそのＣＰＩＤに関連付けられたＦＱＤＮと、ＨＴＴＰヘッダに記述されているＦＱＤＮとが互いに一致するか否かを判断する（Ｓ２１）。この判断において一致すると判断されて初めて、上記音楽ファイルが、第２通信装置３０８から携帯電話機２０へ送信される（Ｓ６）。なお、この判断において一致しないと判断された場合には、その音楽ファイルを破棄し（Ｓ４）、エラーメッセージを第２通信装置３０８から携帯電話機２０へ送信する（Ｓ５）。
【００３２】
以上のように、本変形例では、ＨＴＴＰヘッダに記述されているＣＰＩＤ及びＦＱＤＮの２つについて、その音楽ファイルが正規のコンテンツサーバ１１から提供されたものであるか否かを判断する。よって、仮にＣＰＩＤが漏洩してこれを使った不正なコンテンツサーバから無断で音楽データが提供されたとしても、そのＨＴＴＰヘッダに記述されたＦＱＤＮが異なるため、その音楽データが携帯電話機２０にダウンロードされるのを阻止することができる。したがって、音楽ファイルに係る著作権を更に有効に保護することができる。
【００３３】
なお、上記実施形態（上記変形例を含む。以下、本段落において同様。）では、ＭＰ３形式の着信メロディ用の音楽ファイルが無断でダウンロードされるのを阻止する場合について説明したが、携帯電話機２０のユーザー１に対して無断で提供されるのを阻止する必要があるコンテンツデータに対しても、同様の効果を得ることができる。このようなコンテンツデータとしては、例えば、その他の形式又は用途の音楽データ、静止画又は動画の画像データ、ゲーム等のアプリケーションプログラムなどが挙げられる。
また、上記実施形態では、判断対象となる識別情報として、ＣＰＩＤやＦＱＤＮを用いる場合について説明したが、中継装置３０において規制対象となるコンテンツデータの送信元を識別可能な情報であれば、これらに限られるものではない。
また、上記実施形態では、移動体通信端末として携帯電話機２０を例に挙げて説明したが、上述したコンテンツサーバ１１から提供されるコンテンツデータをダウンロードして利用可能なものであれば、ＰＨＳ、自動車電話機等の電話機、携帯型のＰＤＡなどの他の移動体通信端末であっても、同様な効果を得ることができる。
【図面の簡単な説明】
【００３４】
【図１】本発明の実施形態に係る移動体通信システムを構成する中継装置の動作の流れを示すフローチャート。
【図２】同移動体通信システムの全体構成を説明するための説明図。
【図３】同移動体通信システムを構成するコンテンツサーバのハードウェア構成を示す概略構成図。
【図４】同移動体通信システムを用いてデータ通信可能な携帯電話機を示す外観図。
【図５】同携帯電話機のハードウェア構成を示す概略構成図。
【図６】同中継装置のハードウェア構成を示す概略構成図。
【図７】同移動体通信システムにより着信メロディ用の音楽ファイルをダウンロードするときのシーケンスフロー図。
【図８】同音楽ファイルのダウンロードが阻止される場合のシーケンスフロー図。
【図９】同携帯電話機において、ダウンロードした音楽ファイルに対する処理の流れを示すフローチャート。
【図１０】変形例における中継装置の動作の流れを示すフローチャート。
【符号の説明】
【００３５】
１０  携帯電話通信網
１１  コンテンツサーバ
１２  インターネット通信網
２０  携帯電話機
３０  中継装置
【図１】
2005101806.tif 000003
【図２】
2005101806.tif 000004
【図３】
2005101806.tif 000005
【図４】
2005101806.tif 000006
【図５】
2005101806.tif 000007
【図６】
2005101806.tif 000008
【図７】
2005101806.tif 000009
【図８】
2005101806.tif 000010
【図９】
2005101806.tif 000011
【図１０】
2005101806.tif 000012